(57)【要約】      （修正有）【課題】機密情報を適切に保護しつつ、印刷物の取り忘れを防止できる印刷装置を提供する。【解決手段】印刷物を一時的に収納する印刷装置であって、印刷物を、外部から取り出しできる第１状態、又は、外部から取り出しできない第２状態として収納する収納手段と、収納手段から第１状態の印刷物が取り出されるときに第２状態の印刷物が収納手段にある場合とない場合とを区別できる通知をする通知手段と、を備えることを特徴とする。【選択図】図９
2017056638.tif 000002
【特許請求の範囲】
【請求項１】
印刷物を一時的に収納する印刷装置であって、
印刷物を、外部から取り出しできる第１状態、又は、外部から取り出しできない第２状態として収納する収納手段と、
前記収納手段から前記第１状態の印刷物が取り出されるときに前記第２状態の印刷物が前記収納手段にある場合とない場合とを区別できる通知をする通知手段と、を備えることを特徴とする印刷装置。
【請求項２】
前記通知手段は、メッセージの表示、効果音の出力及び音声の出力の少なくともいずれかで、前記通知をすることを特徴とする請求項１に記載の印刷装置。
【請求項３】
前記第１状態の印刷物は少なくとも一部が外部に露出する状態であり、前記第２状態の印刷物は外部に露出しない状態であり、
前記通知手段は、前記第２状態の印刷物が前記収納手段にある場合とない場合とで、前記第１状態の印刷物の露出量を変えることで、前記通知をすることを特徴とする請求項１又は２に記載の印刷装置。
【請求項４】
前記収納手段は、印刷物を前記第２状態として収納できる複数の副収納手段を備えることを特徴とする請求項１乃至３のいずれか１項に記載の印刷装置。
【請求項５】
ユーザを特定する特定手段をさらに備え、
前記通知手段は、前記収納手段から前記特定手段で特定されたユーザの前記第１状態の印刷物が取り出されるときに前記特定されたユーザの前記第２状態の印刷物が前記収納手段にある場合とない場合とを区別できる通知をすることを特徴とする請求項１乃至４のいずれか１項に記載の印刷装置。
【請求項６】
前記収納手段は、前記特定されたユーザの前記第１状態の印刷物が取り出されたとき、前記特定されたユーザの前記第２状態の印刷物が前記収納手段にある場合、前記特定されたユーザの前記第２状態の印刷物の少なくとも一部を前記第１状態にすることを特徴とする請求項５に記載の印刷装置。
【請求項７】
印刷物を一時的に収納し、印刷物を、外部から取り出しできる第１状態、又は、外部から取り出しできない第２状態として収納する収納手段を備える印刷装置の制御方法であって、
前記収納手段から前記第１状態の印刷物が取り出されるときに前記第２状態の印刷物が前記収納手段にある場合とない場合とを区別できる通知をする通知ステップを備えることを特徴とする印刷装置の制御方法。
【請求項８】
印刷物を一時的に収納し、印刷物を、外部から取り出しできる第１状態、又は、外部から取り出しできない第２状態として収納する収納手段を備える印刷装置を制御するためのプログラムであって、
前記収納手段から前記第１状態の印刷物が取り出されるときに前記第２状態の印刷物が前記収納手段にある場合とない場合とを区別できる通知をする通知ステップをコンピュータに実行させるためのプログラム。
【発明の詳細な説明】
【技術分野】
【０００１】
本発明は、印刷装置、印刷装置の制御方法、及び、プログラムに関する。
【背景技術】
【０００２】
従来、シートに画像を印刷する印刷装置は、画像が印刷されたシート（印刷物）を印刷後に印刷装置の外に排出していた。また、近年では、印刷後すぐに印刷物を印刷装置の外に排出するのではなく、一時的に印刷装置内に溜め置く仕組みが提案されている。
特許文献１の印刷装置は、印刷装置内に複数のシート収納部を備えており、印刷物はいずれか１つのシート収納部に一旦収納される。また、特許文献１の印刷装置は、ユーザを認証する機能を備えており、複数のシート収納部に収納された印刷物のうち認証されたユーザに対応するものが部分的に装置外に露出するように搬送される。ユーザは、部分的に露出した印刷物を引き抜くことにより、自分の印刷物を受け取ることができる。
【０００３】
このような構成によって、印刷物を他人に見られてしまい機密情報が漏洩することを防止しつつ、ユーザが印刷装置の設置場所に到着するよりも前に印刷を開始することで作業効率を向上させることが可能となっている。
また、特許文献２の印刷装置は、ユーザが複数のシート収納部から印刷物を取り出すときに、印刷物を取り出す順番を誘導するために、印刷物の飛び出し量を変える。
【先行技術文献】
【特許文献】
【０００４】
【特許文献１】特開２００９−１０７７８４号公報
【特許文献２】特開２０１３−１０７７６３号公報
【発明の概要】
【発明が解決しようとする課題】
【０００５】
上記のように、特許文献１では、印刷装置内に複数のシート収納部が存在することが開示されており、あるシート収納部がトレイフルとなった場合には、別のシート収納部に印刷物が出力され、複数のシート収納部に印刷物が収納されることが記載されている。しかし、複数のシート収納物に印刷物があるとき、ユーザはどのシート収納部から印刷物を取り除く必要があるかがわからない。そのため、一つのシート収納部から印刷物を取り除いた時点で、自分の印刷物を全て取り出したと勘違いし、残りのシート収納部の印刷物を取り忘れるおそれがある。
また、特許文献２では、ユーザが複数のシート収納部から印刷物を取り出すときに、ユーザが取り出す順番を誘導するために、印刷物の飛び出し量を変えることが記載されている。しかし、複数のシート収納部のうち、上側にあるシート収納部の印刷物の飛び出し量が大きかった場合に、下側にあるシート収納部の印刷物を隠してしまうことになる。このため、ユーザは、特許文献１と同様に残りのシート収納部の印刷物を取り忘れるおそれがある。
【０００６】
本発明は、上記の点に鑑みなされたものであり、機密情報を適切に保護しつつ、印刷物の取り忘れを防止できる印刷装置の提供を目的とする。
【課題を解決するための手段】
【０００７】
本発明の印刷装置は、印刷物を一時的に収納する印刷装置であって、印刷物を、外部から取り出しできる第１状態、又は、外部から取り出しできない第２状態として収納する収納手段と、前記収納手段から前記第１状態の印刷物が取り出されるときに前記第２状態の印刷物が前記収納手段にある場合とない場合とを区別できる通知をする通知手段と、を備えることを特徴とする。
【発明の効果】
【０００８】
本発明の印刷装置は、内部に収納された取り出し対象の印刷物がある場合とない場合とを区別できる通知がされる。したがって、機密情報を適切に保護しつつ、印刷物の取り忘れを防止できる。
【図面の簡単な説明】
【０００９】
【図１】印刷装置の断面図である。
【図２】シート収納部の断面図である。
【図３】副シート収納部の斜視図であり、（ａ）はシートが積載されていない状態の副シート収納部の斜視図であり、（ｂ）はシートが積載されてシートが押し出された状態の副シート収納部の斜視図である。
【図４】印刷装置の外観斜視図である。
【図５】印刷システム及び印刷装置のハードウェア構成を示すブロック図である。
【図６】印刷装置が印刷を実行する処理のフローチャートである。
【図７】図６のステップＳ６０３の詳細な処理のフローチャートである。
【図８】第１実施形態の収納部管理テーブルの概念図である。
【図９】第１実施形態の印刷装置が印刷物を排出する処理のフローチャートである。
【図１０】第１実施形態の印刷装置の動作を示すシート収納部の模式図であり、（ａ）はユーザによる取り出し指示前のシート収納部の模式図であり、（ｂ）はユーザによる取り出し指示後のシート収納部の模式図であり、（ｃ）はユーザが印刷部を１束取り出した後のシート収納部の模式図であり、（ｄ）はユーザが印刷部を２束取り出した後のシート収納部の模式図である。
【図１１】第２実施形態の収納部管理テーブルの概念図である。
【図１２】第２実施形態の印刷装置が印刷物を排出する処理のフローチャートである。
【図１３】第２実施形態の印刷装置１００の動作を示すシート収納部の模式図であり、（ａ）はユーザによる取り出し指示前のシート収納部の模式図であり、（ｂ）はユーザによる取り出し指示後のシート収納部の模式図であり、（ｃ）はユーザが印刷部を１束取り出した後のシート収納部の模式図であり、（ｄ）はユーザが印刷部を２束取り出した後のシート収納部の模式図である。
【発明を実施するための形態】
【００１０】
以下、添付図面を参照して、本発明の好適な実施形態について説明する。
＜第１実施形態＞
はじめに、図１を参照して、印刷装置１００の各部を説明する。図１は印刷装置１００の断面図である。印刷装置１００は、例えばモノクロデジタルプリンタとする。
印刷部１０１は、印刷装置１００に収納され、図１中で時計回りに回転する感光体ドラム１１１と、露光装置１１３と、感光体ドラム１１１の回転方向に沿って配設された帯電ローラ１１２と、現像装置１１４と、転写ローラ１１５とを有している。これらの部材を用いて、印刷部１０１はシート上にトナー像を形成する。
【００１１】
シート給送部１０２は、印刷部１０１にシートを給送する。シート給送部１０２は、印刷に用いられるシートが複数枚、積層状態で収納されている給紙カセット１０５、給紙ローラ１０７、搬送ガイド１０９、レジストレーションローラ１１０等を有している。
定着部１０３は、シートに画像を定着させる。定着部１０３は、定着ローラ１１６と、定着ローラ１１６に下方から当接された加圧ローラ１１７と、搬送ローラ１１８とを有している。印刷部１０１と、定着部１０３と、給紙カセット１０５との間には、シートの表裏両面に画像を印刷する場合に使用されるシートの再搬送通路１２６が設けられている。
【００１２】
積載部１２４は、印刷装置１００の上面に設けられ、印刷部１０１によって画像が印刷されたシート（印刷物）を積載する。積載部１２４に排出された印刷物は、後述するユーザ認証等の操作を必要とせずにユーザが取り上げることができる。
シート収納部２０３は、印刷部１０１によって画像が印刷された印刷物を、外部から取り出しできる状態、又は、外部から取り出しできない状態として収納する。シート収納部２０３は、第１副シート収納部２０１ａ、第２副シート収納部２０１ｂ及び第３副シート収納部２０１ｃの３つの副シート収納部２０１を備える。シート収納部２０３は印刷部１０１と積載部１２４との間に設けられる。シート収納部２０３に収納された印刷物は、後述するユーザ認証等の操作が行われることに応じて部分的に装置外に露出するように搬送され、ユーザが引き抜くことができる。なお、ここではシート収納部２０３に３つの副シート収納部２０１が備えられている例を示すが、副シート収納部２０１の数はこれ以外の数であってもよい。なお、シート収納部２０３は、収納手段の一例であり、副シート収納部２０１は、副収納手段の一例である。
【００１３】
搬送ローラ２０４は、第１副シート収納部２０１ａにシートを搬送するための搬送ローラである。
搬送ローラ２０５は、第２副シート収納部２０１ｂにシートを搬送するための搬送ローラである。
搬送ローラ２０６は、第３副シート収納部２０１ｃにシートを搬送するための搬送ローラである。
【００１４】
搬送路切り替え部材１２０は、図１にて実線で示した位置と破線で示した位置とに不図示のアクチュエータによって切り替え可能な構成となっている。
反転ローラ１２１及び反転ローラ１２３は、正逆転可能に設けられ、正回転することでシートを積載部１２４に排出し、逆回転することでシートを再搬送通路１２６へ向けて搬送する。
シートを積載部１２４に向けて搬送する場合には、搬送路切り替え部材１２０が破線で示した位置に切り替えられ、シートは反転ローラ１２１により排出ガイド１２２に沿って搬送され、反転ローラ１２３により、積載部１２４に排出される。
満載検知レバー１２５は、積載部１２４に積載されているシートの満載を検知する。満載検知レバー１２５により、シートが満載であることが検知されると、後述する制御部５０１は、積載部１２４上のシートが取り除かれるまで印刷を行わないように制御する。
【００１５】
シートの両面に画像が印刷される場合には、一方の面（表面）にトナー像が定着されたシートは、排出ガイド１２２に沿って反転ローラ１２３に向かって搬送される。そして、シートの後端が分岐部１２７を抜けた後、反転ローラ１２１及び反転ローラ１２３を逆転させることで、シートはスイッチバックされ、再搬送通路１２６を通過して、印刷部１０１に再搬送される。
【００１６】
シートをシート収納部２０３に向けて搬送する場合には、搬送路切り替え部材１２０が実線で示した位置に切り替えられ、シートは搬送路１２８を通ってシート収納部２０３に搬送される。
第１の切り替え部材２１１及び第２の切り替え部材２１２は、それぞれシートが搬送される経路を切り替える部材である。第１の切り替え部材２１１及び第２の切り替え部材２１２は、図１中の実線の位置と破線の位置とに不図示のアクチュエータによって切り替え可能な構成となっている。
【００１７】
第１副シート収納部２０１ａにシートを搬送する場合には、図１中の実線にて示された位置に第１の切り替え部材２１１及び第２の切り替え部材２１２がそれぞれ切り替えられ、保持される。そして画像が印刷されたシートは、搬送路１２８、搬送ガイド２０７、２０８の順に通過し、さらに搬送ローラ２０４によって、第１副シート収納部２０１ａにフェイスダウン状態、即ちトナー像が印刷された面を下方に向けた状態で収納される。
【００１８】
第２副シート収納部２０１ｂにシートを搬送する場合には、第１の切り替え部材２１１が図１中の実線にて示された位置に、第２の切り替え部材２１２が破線で示された位置にそれぞれ切り替えられ、保持される。そして画像が印刷されたシートは、搬送路１２８、搬送ガイド２０７、２０９の順に通過し、さらに搬送ローラ２０５によって、第２副シート収納部２０１ｂにフェイスダウン状態で収納される。
【００１９】
第３副シート収納部２０１ｃにシートを搬送する場合には、第１の切り替え部材２１１が図１中の破線にて示された位置に切り替えられ、保持される。そして画像が印刷されたシートは、搬送路１２８、搬送ガイド２１０の順に通過し、さらに搬送ローラ２０６によって、第３副シート収納部２０１ｃにフェイスダウン状態で収納される。
【００２０】
シート収納部２０３に収納されたシートは、ユーザからの取り出し指示に応じて排出口２３４に搬送される。この搬送の詳細については図２及び図３を用いて後述する。排出口２３４に搬送されたシートは、部分的に印刷装置１００外に露出した状態で保持され、ユーザによって引き抜かれるのを待つ。
検知部材１０６は、排出口２３４に搬送されたシートがユーザによって引き抜かれたことを検知する。検知部材１０６は、シートが排出口２３４に搬送される前、及び、搬送されたシートをユーザが引き抜いた後、は図１中の実線の位置にあり、シートが排出口２３４に搬送されてユーザによる引き抜きを待っているときには破線の位置にある。なお、ここでは第１から第３副シート収納部２０１ａ、２０１ｂ、２０１ｃに共通のものとして１つの排出口２３４を備える例を用いて説明したが、副シート収納部２０１毎に専用の排出口をそれぞれ備えるようにしても良い。
【００２１】
次に、図２を参照して、シート収納部２０３の詳細な構成について説明する。図２は、シート収納部２０３の断面図である。シート収納部２０３を構成する第１から第３副シート収納部２０１ａ、２０１ｂ、２０１ｃは、上下に積み重ねられた状態で印刷装置１００内に配置される。それぞれの副シート収納部２０１の構造は同様であるため、ここでは、第１副シート収納部２０１ａの構造について説明する。
【００２２】
搬送ローラ２０４により第１副シート収納部２０１ａに搬送されたシートは、積載面２３１に一時的に積載されて収納される。不図示のシート有無検知手段により、積載面２３１上にシートが載置されているか否か（第１副シート収納部２０１ａが空いているか否か）が検知可能である。
第１副シート収納部２０１ａは、押し出し部材２３３を備える。押し出し部材２３３は、収納されているシートの搬送方向上流端部（後端部）を押して、シートの搬送方向下流端部（先端部）の一部を排出口２３４から装置外に露出させる。押し出し部材２３３は、第２副シート収納部２０１ｂ及び第３副シート収納部２０１ｃにも備えられる。シートは、押し出し部材２３３により、外方に、すなわち、排出口２３４に、押し出されることにより、ユーザが引き抜くことが可能となる。また、押し出し部材２３３によって印刷装置１００外に露出する部分のシート長さは３０ｍｍ〜８０ｍｍであるものとするが、ユーザがシートを掴むことが可能であって、且つ、シートが自重で抜け落ちてしまわない長さであればこれに限らない。
【００２３】
第１副シート収納部２０１ａには、収納可能なシートの枚数やサイズに制限が設けられている。具体的には、第１副シート収納部２０１ａには普通紙で一度に１５枚まで収納できる。第１副シート収納部２０１ａにおけるシートの満載は満載検知レバー２３５を用いて検知されるようになっており、普通紙よりも厚みのあるタイプのシートを用いる場合は収納可能な枚数が少なくなる場合がある。満載検知レバー２３５を備える代わりに、シートを１枚収納する毎に収納済みのシート枚数をカウントアップし、１５枚に達したときに収納（印刷）を制限するように構成してもよい。また、上限枚数は１５枚でなくてもよい。
また、第１副シート収納部２０１ａにはＡ４サイズ以下の大きさのシートが収納可能である。Ａ４サイズよりも大きなサイズ（Ｂ４、Ａ３等）のシートは、積載部１２４には積載可能であるが、第１副シート収納部２０１ａに収納することはできない。なお、第１副シート収納部２０１ａを、Ａ４サイズよりも大きなサイズのシートを収容できる大きさにしてもよい。
【００２４】
押し出し部材２３３は、第１副シート収納部２０１ａにシートが収納される際には、シートの搬送及び積載を邪魔しない位置、すなわち、図２に実線で示される積載位置に位置している。一方、押し出し部材２３３は、収納されているシートを押し出す際には、シート排出方向に沿って排出口２３４に向かって移動し、図２に破線で示される押し出し位置（シート排出位置）へと移動する。その後、シートがユーザによって引き抜かれたことが検知部材１０６によって検知されると、押し出し部材２３３は積載位置に戻される。
【００２５】
次に、図３を参照して、押し出し部材２３３について説明する。図３（ａ）はシートが積載されていない状態の第１副シート収納部２０１ａの斜視図であり、図３（ｂ）は積載されたシートが押し出された状態の第１副シート収納部２０１ａの斜視図である。
押し出し部材２３３は、平板部２３３ｃと、平板部２３３ｃに立設された２つのシート後端押圧爪２３３ａ及び２３３ｂとを備える。
平板部２３３ｃは、積載面２３１とほぼ平行な平板状の部材であり、第１副シート収納部２０１ａの、積載面２３１とは反対側に配置される。平板部２３３ｃは、図３（ａ）及び（ｂ）に示すように、積載面２３１の後方（搬送ローラ２０４の側）と積載面２３１の前方（排出口２３４の側）との間をスライドできるように配置される。
【００２６】
シート後端押圧爪２３３ａ及び２３３ｂは、シートが傾いて排出されるのを防止するため、平板部２３３ｃの後端部（搬送ローラ２０４の側の端部）であって、シート幅方向の両端側に配置される。
第１副シート収納部２０１ａにシートが収納されるとき、押し出し部材２３３は、図３（ａ）に示す積載位置に配置される。押し出し部材２３３が積載位置に配置されるとき、平板部２３３ｃは積載面２３１の後方にあり、シート後端押圧爪２３３ａ及び２３３ｂは積載面２３１上に現れない位置にある。押し出し部材２３３が積載位置に配置されるとき、第１副シート収納部２０１ａに収納されるシートは外部から取り出しできない状態である。
第１副シート収納部２０１ａに収納されたシートが排出されるとき、平板部２３３ｃが積載面２３１の前方にスライドする。これにより、押し出し部材２３３は、積載位置から図３（ｂ）に示す押し出し位置に移動して、積載面２３１上を後方から前方に移動することで、シートの上流端部を押圧してシート排出を行う。押し出し部材２３３が押し出し位置に移動したとき、第１副シート収納部２０１ａに収納されるシートは外部から取り出しできる状態である。
押し出し部材２３３は、積載位置と押し出し位置との間をシート排出方向に沿って往復移動する。
【００２７】
次に、図４を参照して、シートが印刷装置１００から露出した状態について説明する。図４は、印刷装置１００の外観斜視図である。
図４は、３つの副シート収納部２０１のいずれかから排出された印刷物２０２（シート束）の下流端部が、排出口２３４から露出した例である。ユーザは、印刷装置１００外に露出した印刷物２０２の下流端部を掴んで引き抜くことで自分の印刷物２０２を受け取ることができる。
また、印刷装置１００は、図４に示すように、印刷装置１００の上部であって排出口２３４の側にユーザインターフェース部３０７を備える。ユーザインターフェース部３０７は、印刷装置１００に対するユーザからの指示を受け付けるとともに、ユーザに対して各種情報を通知する。ユーザインターフェース部３０７は、ユーザに画像、音声によって各種情報を通知できる。
【００２８】
次に、図５を参照して、本実施形態の印刷システム、及び、印刷装置１００のハードウェア構成を説明する。図５は、本実施形態の印刷システム、及び、印刷装置１００のハードウェア構成を示すブロック図である。
本実施形態の印刷システムは、印刷装置１００と、クライアントＰＣ６２０と、ＬＡＮ５１０とを備える。
印刷装置１００は、制御部５０１と、ユーザインターフェース部３０７と、印刷部１０１とを備える。なお、印刷部１０１は、図１を参照して説明した通り、シート上にトナー像を形成するものであり、ここでの説明は省略する。
制御部５０１は、印刷装置１００全体の動作を制御し、ＣＰＵ５０２と、ＲＯＭ５０３と、ＲＡＭ５０４と、ユーザインターフェース部Ｉ／Ｆ５０５と、印刷部Ｉ／Ｆ５０６と、ネットワークＩ／Ｆ５０７とを備える。
【００２９】
ＣＰＵ（central processing unit）５０２は、ＲＯＭ５０３に記憶された制御プログラムを読み出して、印刷動作やシート搬送の制御等を行う。
ＲＯＭ（Read Only Memory）５０３は、ＣＰＵ５０２で実行される制御プログラム等を記憶する。
ＲＡＭ（Random Access Memory）５０４は、ＣＰＵ５０２の主メモリ、ワークエリア等の一時記憶領域として用いられる。なお、印刷装置１００は１つのＣＰＵ５０２が１つのメモリ（ＲＡＭ５０４）を用いて後述するフローチャートに示す各処理を実行するものとするが、他の態様であっても構わない。例えば、複数のＣＰＵや複数のＲＡＭを協働させて各処理を実行するようにすることもできる。
【００３０】
ユーザインターフェース部Ｉ／Ｆ５０５は、ユーザインターフェース部３０７と制御部５０１を接続するインターフェースである。
印刷部Ｉ／Ｆ５０６は、印刷部１０１と制御部５０１を接続するインターフェースである。印刷部１０１で印刷する画像の画像データが印刷部Ｉ／Ｆ５０６を介して制御部５０１から印刷部１０１に転送されて、印刷部１０１がシートに印刷する。
ネットワークＩ／Ｆ５０７は、印刷装置１００をＬＡＮ（Local Area Network）５１０に接続するインターフェースである。ネットワークＩ／Ｆ５０７は、ＬＡＮ５１０を介して、例えば、クライアントＰＣ６２０から印刷ジョブを受信する。
【００３１】
ユーザインターフェース部３０７は、後述する印刷物の取り出し指示を受け付けるための受付部としての役割と、後述するユーザ認証に必要なユーザＩＤをＩＣカードから読み取るためのカードリーダとしての役割を担う。さらに、ユーザインターフェース部３０７は、後述するユーザに対する通知を行うための画面を表示する表示部としての役割を担う。なお、ユーザインターフェース部３０７は、後述のように、効果音や音声の出力も行える。
【００３２】
ＬＡＮ５１０は、印刷装置１００とクライアントＰＣ６２０とを接続するネットワークである。ＬＡＮ５１０は、無線でも有線でもよい。
クライアントＰＣ６２０は、ＬＡＮ５１０を介して、印刷装置１００に印刷ジョブを送信するコンピュータである。クライアントＰＣ６２０にはプリンタドライバがインストールされており、印刷ジョブはプリンタドライバが生成する。
【００３３】
次に、図６及び図７を参照して、印刷装置１００が印刷を実行する処理を説明する。図６は印刷装置１００が印刷を実行する処理のフローチャートである。図７は図６のステップＳ６０３の詳細な処理のフローチャートである。図６及び図７のフローチャートに示す各動作（ステップ）は、印刷装置１００の制御部５０１がＲＯＭ５０３に記憶された制御プログラムを実行することにより実現される。
【００３４】
ステップＳ６０１において、印刷装置１００は、印刷ジョブを受信したか否かを判定する。印刷装置１００は、印刷ジョブを受信したと判定した場合はステップＳ６０２に処理を進め、印刷ジョブを受信していないと判定した場合は受信するまで待機する。
ステップＳ６０２において、印刷装置１００は、受信した印刷ジョブにバッファモードが指定されているか否かを判定する。
ここで印刷装置１００が備えるモードについて説明する。印刷装置１００はバッファモード及び通常モードの２つのモードを備えており、どちらのモードで印刷するかを、クライアントＰＣ６２０のプリンタドライバが印刷ジョブに指定できる。
バッファモードとは、印刷物をいずれかの副シート収納部２０１に一時的に収納し、ユーザの取り出し指示に応じて、ユーザが排出口２３４から取り出せるようにするモードである。バッファモードを指定すると、ユーザがクライアントＰＣ６２０で印刷指示を行った後、印刷装置１００の設置場所に到着するまでの間に他人に印刷物を盗み見られることを防止できる。加えて、印刷装置１００の設置場所に到着する前に印刷が開始されるため、設置場所に到着した後に印刷を開始する構成と比較してユーザの待ち時間を少なくすることができる利点がある。
【００３５】
通常モードとは、印刷物を、副シート収納部２０１ではなく、印刷装置１００の上面の積載部１２４に排出するモードである。
なお、印刷装置１００は、バッファモード及び通常モード以外のモードを更に備えるようにしてもよい。
印刷装置１００は、ステップＳ６０２の判定の結果、バッファモードが指定されていると判定した場合はステップＳ６０３に処理を進め、バッファモードが指定されていない（通常モードが指定されている）と判定した場合はステップＳ６０４に処理を進める。なお、ステップＳ６０３の詳細は、後に図７を参照して説明する。
ステップＳ６０４において、印刷装置１００は、受信した印刷ジョブに基づいてシートに画像を印刷し、排出ガイド１２２等を経由させて印刷物を積載部１２４に排出する。ユーザは、積載部１２４に排出された印刷物を、ユーザ認証をすることなく、取り上げることができる。
【００３６】
次に、図７を参照して、バッファモードでの印刷の処理である、図６のステップＳ６０３の詳細を説明する。
ステップＳ７０１において、印刷装置１００は、印刷物が収納されていない副シート収納部２０１があるか否かを確認する。印刷装置１００は、すべての副シート収納部２０１に印刷物が収納されているとき、出力先が存在しないため、ステップＳ７０８に処理を進め、印刷を一時停止する。印刷装置１００は、印刷物が収納されていない副シート収納部２０１があるときステップＳ７０２に処理を進める。
【００３７】
ステップＳ７０２において、印刷装置１００は、ＲＡＭ５０４の収納部管理テーブル８００に新たなジョブレコードを追加する。
ここで図８を参照して、収納部管理テーブル８００を説明する。図８は収納部管理テーブル８００の概念図である。収納部管理テーブル８００では、１つの印刷ジョブにつき少なくとも１つのレコード（ジョブレコード）を用いて印刷ジョブが管理される。収納部管理テーブル８００は、ＲＡＭ５０４に記憶してもよく、不図示のハードディスク等の記憶装置に記憶してもよい。収納部管理テーブル８００に登録されるレコードの項目には、収納部ＩＤ、ユーザＩＤ、ジョブＩＤ及び収納部使用開始時刻が含まれる。
収納部管理テーブル８００の収納部ＩＤには、それぞれの副シート収納部２０１に割り当てられる収納部ＩＤの一つが記録される。本例の収納部ＩＤでは、第１副シート収納部２０１ａの収納部ＩＤは「２０１」、第２副シート収納部２０１ｂの収納部ＩＤは「２０２」、第３副シート収納部２０１ｃの収納部ＩＤは「２０３」とする。ただし、シート収納部を個別に識別できる情報であれば、この例以外の記号を収納部ＩＤとして用いてもよい。収納部管理テーブル８００の収納部ＩＤは、印刷ジョブの実行結果である印刷物が収納される副シート収納部２０１の収納部ＩＤが登録される。
ステップＳ７０２で新たに登録されるレコードの収納部ＩＤには、ステップＳ７０２の時点で印刷物が収納されていない副シート収納部２０１の収納部ＩＤが用いられる。このレコードの登録により、副シート収納部２０１が印刷物の排出先として予約されることになる。
【００３８】
収納部管理テーブル８００のユーザＩＤは、受信した印刷ジョブの所有者であるユーザを示す情報である。ユーザＩＤはクライアントＰＣ６２０から受信する印刷ジョブに含まれるものとする。
収納部管理テーブル８００のジョブＩＤは、バッファモードが指定された印刷ジョブに対して受信順に印刷装置１００が割り当てる情報である。クライアントＰＣ６２０で割り当てたジョブＩＤがある場合は、このジョブＩＤを代用してもよい。
収納部管理テーブル８００の収納部使用開始時刻は、印刷ジョブに副シート収納部２０１が割り当てられた時刻を示す情報である。収納部使用開始時刻は、印刷ジョブが副シート収納部２０１の使用を開始した時刻ともいえる。
【００３９】
図７の説明に戻ると、ステップＳ７０３において、印刷装置１００は、ステップＳ７０２で予約した副シート収納部２０１に対して印刷物の出力を開始する。
ステップＳ７０４において、印刷装置１００は、予約した副シート収納部２０１が満載になったか否かを、満載検知レバー２３５の検知結果に基づき判定する。ステップＳ７０３からステップＳ７０４に進んだ直後は予約した副シート収納部２０１が満載になっている状態は発生しない。しかし、後述するステップＳ７０５からステップＳ７０７の処理を繰り返すうちに予約した副シート収納部２０１が満載になる場合がある。印刷装置１００は、副シート収納部２０１が満載になっていないと判定した場合はステップＳ７０５に処理を進め、満載になったと判定した場合はステップＳ７０１に処理を戻す。
【００４０】
ステップＳ７０５において、印刷装置１００は、印刷部１０１を制御して１ページ分の画像を１枚のシートに印刷する。なお、ここでは１ページ分の画像を１枚のシートの全面にレイアウトし、片面印刷する場合を前提に説明する。ただし、Ｎｕｐ印刷（複数ページ分の画像を１枚のシートの全面にレイアウトし、片面印刷又は両面印刷すること）や両面印刷を行う場合は、ステップＳ７０５において１枚分のシートに対する印刷を完了させる。
ステップＳ７０６において、印刷装置１００は、ステップＳ７０５での印刷の結果として得られる印刷物を、搬送路１２８等を経由させて予約した副シート収納部２０１に収納する。
ステップＳ７０７において、印刷装置１００は、次ページ（印刷未完了のページ）があるか否かを判定し、次ページがあると判定した場合はステップＳ７０４に処理を戻し、次ページがないと判定した場合は図７に示す処理を終了する。
ステップＳ７０８において、印刷装置１００は、印刷を一時停止して、図７に示す処理を終了する。
【００４１】
以上、図６及び図７の処理により、バッファモードが指定された印刷ジョブに含まれるページのうち副シート収納部２０１に印刷物を収納可能なページについては、印刷ジョブの受信に応じて印刷が行われる。一方、副シート収納部２０１に印刷物を収納可能でないページについては、印刷せずにデータが保存される。通常モードが指定された印刷ジョブについては、印刷ジョブの受信に応じて印刷が行われ、印刷物が積載部１２４に排出される。
【００４２】
次に、図９を参照して、バッファモードが指定された印刷ジョブに基づく印刷物をユーザが取り出す場合の動作を説明する。図９は、印刷装置１００が印刷物を排出する処理のフローチャートである。図９のフローチャートに示す各動作（ステップ）は、印刷装置１００の制御部５０１がＲＯＭ５０３に記憶された制御プログラムを実行することにより実現される。
【００４３】
ステップＳ９０１において、印刷装置１００は、ユーザインターフェース部３０７を介してユーザから印刷物の取り出し指示を受け付けたか否かを判定する。印刷装置１００は、取り出し指示を受け付けたと判定した場合はステップＳ９０２に処理を進め、取り出し指示を受け付けていないと判定した場合は受け付けるまで待機する。
ステップＳ９０２において、印刷装置１００は、ユーザからユーザＩＤの入力を受け付けてユーザを特定する。ユーザがＩＣカードを使用する場合は、ユーザインターフェース部３０７がＩＣカードを読み取ることで、ユーザＩＤが入力される。なお、印刷装置１００は、ＩＣカードがユーザインターフェース部３０７にかざされたことをもって印刷物の取り出し指示を受け付けたと判断するようにしてもよい。また、ユーザＩＤに加えてパスワードの入力を受け付けるようにしてもよい。ＩＣカードを用いる場合はＩＣカードを保持していることをもってユーザの本人確認が取れたものとするが、テンキー等を用いてユーザＩＤを直接入力する場合はパスワードを併せて入力させることによりセキュリティを高めることができる。なお、ステップＳ９０２は特定手段による処理の一例である。
【００４４】
ステップＳ９０３において、印刷装置１００は、ステップＳ９０２で受け付けたユーザＩＤに対応するジョブレコードを収納部管理テーブル８００から検索する。
ステップＳ９０４において、印刷装置１００は、ステップＳ９０３における検索の結果、該当するジョブレコードが見つかったか否かを判定する。印刷装置１００は、ジョブレコードが見つかったと判定した場合はステップＳ９０６に処理を進め、ジョブレコードが見つからなかったと判定した場合はステップＳ９０５を進める。
ステップＳ９０５において、印刷装置１００は、印刷ジョブが存在しない旨をユーザに通知するための画面をユーザインターフェース部３０７に表示する。
【００４５】
ステップＳ９０６において、印刷装置１００は、ステップＳ９０３の検索で見つかりステップＳ９１６で削除されていないジョブレコードの数が１か又は２以上かを判断する。印刷装置１００は、ジョブレコード数が１の場合には、ステップＳ９０７に処理を進め、２以上の場合にはステップＳ９１３に処理を進める。
ステップＳ９０７において、印刷装置１００は、ステップＳ９０３の検索で見つかりステップＳ９１６で削除されていないジョブレコードの収納部ＩＤが表す副シート収納部２０１に収納済みの印刷物を、押し出し部材２３３を用いて搬送する。そして、印刷装置１００は、この印刷物を排出口２３４から印刷装置１００の外部に露出させる。ステップＳ９０７で外部に露出する印刷物が、ユーザが最後に取り出す対象となる印刷物である。ユーザは印刷物の露出部分を掴んで引き抜くことによって、印刷物を受け取ることができる。
ステップＳ９０８において、印刷装置１００は、ユーザインターフェース部３０７に「印刷物を取り除いてください。最後の印刷物になります」というメッセージを含むダイアログを表示する。ステップＳ９０８で表示するダイアログは、後述する図１０のダイアログ３１２に相当する。
【００４６】
ステップＳ９０９において、印刷装置１００は、排出口２３４の印刷物をユーザが引き抜いたか否かを検知部材１０６で検知する。印刷装置１００は、引き抜きを検知できない場合にはステップＳ９０９に処理を戻し、引き抜きを検知するまで待機する。印刷装置１００は、引き抜きを検知した場合にはステップＳ９１０に処理を進める。
ステップＳ９１０において、印刷装置１００は、ステップＳ９０９で印刷物が引き抜かれた副シート収納部２０１に対応するシート収納部ＩＤを含んだジョブレコードを収納部管理テーブル８００から削除する。
ステップＳ９１１において、印刷装置１００は、ユーザインターフェース部３０７から最終印刷物用の効果音を鳴らす。ユーザインターフェース部３０７から「最後の印刷物を引き抜きました」等の音声を出力してもよい。
ステップＳ９１２において、印刷装置１００は、ステップＳ９０８でユーザインターフェース部３０７に表示したダイアログを非表示にし、図９に示す処理を終了する。
【００４７】
ステップＳ９１３において、印刷装置１００は、ステップＳ９０３の検索で見つかりステップＳ９１６で削除されていないジョブレコードのうち、収納部使用開始時刻が一番古いジョブレコードを取得する。印刷装置１００は、取得したジョブレコードの収納部ＩＤに対応する副シート収納部２０１から、印刷物を押し出し部材２３３を用いて搬送し、排出口２３４から印刷装置１００の外部に露出させる。外部に露出する印刷物が、ユーザが次に取り出す対象となる印刷物である。ユーザは露出部分を掴んで引き抜くことによって印刷物を受け取ることができる。
ステップＳ９１４において、印刷装置１００は、ユーザインターフェース部３０７に「印刷物を取り除いてください。残りＮ束出力します」というメッセージを含むダイアログを表示する。ここでのＮは、ステップＳ９０３の検索で見つかりステップＳ９１６で削除されていないジョブレコード数から１減算した数である。ステップＳ９１４で表示するダイアログは、後述する図１０のダイアログ３１０又は３１１に相当する。
【００４８】
ステップＳ９１５において、印刷装置１００は、排出口２３４の印刷物をユーザが引き抜いたかを検知部材１０６で検知する。印刷装置１００は、引き抜きを検知できない場合にはステップＳ９１５に処理を戻し、引き抜きを検知するまで待機する。印刷装置１００は、引き抜きを検知した場合にはステップＳ９１６に処理を進める。
ステップＳ９１６において、印刷装置１００は、ステップＳ９１５で引き抜かれた印刷物が収容されていた副シート収納部２０１に対応する収納部ＩＤを含むジョブレコードを、収納部管理テーブル８００から削除し、ステップＳ９１７に処理を進める。
ステップＳ９１７において、印刷装置１００は、ユーザインターフェース部３０７から途中印刷物用の効果音を鳴らす。ステップＳ９１１とＳ９１７とで異なる効果音を鳴らすことで、ユーザは取り出した印刷物が、最後のものであったか否かを区別できる。ユーザインターフェース部３０７から「残りＮ束あります」等の音声を出力してもよい。そして、印刷装置１００は、ステップＳ９０６に処理を進め、残りの副シート収納部２０１にある印刷物の取り出しを継続する。なお、ステップＳ９０８、Ｓ９１１、Ｓ９１４及びＳ９１７は通知手段による処理の一例である。
【００４９】
次に、図１０を参照して、バッファモードが指定された印刷ジョブに基づく印刷物をユーザが取り出す場合の動作の具体例を説明する。図１０（ａ）〜（ｄ）は、図８の収納部管理テーブル８００、図９のフローチャートに対応したシート収納部２０３及びユーザインターフェース部３０７の模式図である。
【００５０】
はじめに、図１０（ａ）に示す第１状態の印刷装置１００を説明する。第１状態の印刷装置１００は、印刷装置１００が、受信した印刷ジョブについての印刷を実行した状態である。第１副シート収納部２０１ａには第１印刷物２０２ａ、第２副シート収納部２０１ｂには第２印刷物２０２ｂ、第３副シート収納部２０１ｃには第３印刷物２０２ｃが、収納されている。第１から第３印刷物２０２ａ、２０２ｂ、２０２ｃは、全てユーザＩＤが「ａａａ」であり、ジョブＩＤが「００１」の印刷ジョブに対応する印刷物である。収納部管理テーブル８００は図８に示す状態である。
【００５１】
次に、図１０（ｂ）に示す第２状態の印刷装置１００を説明する。第２状態の印刷装置１００は、ユーザＩＤが「ａａａ」であるユーザが第１状態の印刷装置１００に対して、印刷物の取り出し指示をし、印刷装置１００が次の処理をした状態である。すなわち、印刷装置１００が図９のステップＳ９０１、Ｓ９０２、Ｓ９０３、Ｓ９０４、Ｓ９０６、Ｓ９１３及びＳ９１４を実行した状態である。印刷装置１００は、ステップＳ９０１及びＳ９０２で、ユーザ「ａａａ」から印刷物の取り出し指示を受け付ける。また、印刷装置１００は、ステップＳ９１３で、第１印刷物２０２ａを排出口２３４に押し出し、第１印刷物２０２ａを印刷装置１００外に露出させる。また、印刷装置１００は、ステップＳ９１４で、ユーザインターフェース部３０７に、「印刷物を取り除いてください。残り２束出力します」というメッセージを含むダイアログ３１０が表示する。
【００５２】
次に、図１０（ｃ）に示す第３状態の印刷装置１００を説明する。第３状態の印刷装置１００は、ユーザが第２状態の印刷装置１００から第１印刷物２０２ａを取り出し、印刷装置１００が、図９のステップＳ９１６、Ｓ９１７、Ｓ９０６、Ｓ９１３及びＳ９１４を実行した状態である。印刷装置１００は、ステップＳ９１３の処理によって、第２印刷物２０２ｂを排出口２３４に押し出し、第２印刷物２０２ｂを印刷装置１００外に露出させる。また、印刷装置１００は、ステップＳ９１４で、ユーザインターフェース部３０７に、「印刷物を取り除いてください。残り１束出力します」というメッセージを含むダイアログ３１１を表示する。
【００５３】
次に、図１０（ｄ）に示す第４状態の印刷装置１００を説明する。第４状態の印刷装置１００は、ユーザが第３状態の印刷装置１００から第２印刷物２０２ｂを取り出し、印刷装置１００が、図９のステップＳ９１６、Ｓ９１７、Ｓ９０６、Ｓ９０７及びＳ９０８を実行した状態である。印刷装置１００は、ステップＳ９０７の処理によって、第３印刷物２０２ｃを排出口２３４に押し出し、第３印刷物２０２ｃを印刷装置１００外に露出させる。また、印刷装置１００は、ステップＳ９０８で、ユーザインターフェース部３０７に、「印刷物を取り除いてください。最後の印刷物になります」というメッセージを含むダイアログ３１２を表示する。
【００５４】
以上の動作により、複数の副シート収納部２０１に収納済みの印刷物が存在したとしても、ユーザは排出口２３４から何回、印刷物を引き抜けばよいのかをユーザインターフェース部３０７に表示されるダイアログ３１０、３１１及び３１２で知ることができる。また、ユーザインターフェース部３０７から例えば効果音を鳴らし、途中の印刷物か、最後の印刷物かをユーザに通知することができるため、ユーザの印刷物の取り忘れを防止することができる。
【００５５】
＜第２実施形態＞
第１実施形態では、副シート収納部２０１から印刷物をユーザが取り除く際に、ユーザインターフェース部３０７の画面や音声によって、途中の印刷物か、最後の印刷物かをユーザに通知する。これに対して本実施形態では、副シート収納部２０１から印刷物を排出口２３４に出力する際の露出量を、途中の印刷物か最後の印刷物かによって変えることで、途中の印刷物か、最後の印刷物かをユーザに通知する。なお、以下では第１実施形態と同様の点については説明を簡略化又は省略する。
【００５６】
はじめに、図１１を参照して、収納部管理テーブル８１０の例を説明する。収納部管理テーブル８１０の構成は、図８で説明した収納部管理テーブル８００と同様である。収納部管理テーブル８１０に含まれるジョブレコードのユーザＩＤは、収納部管理テーブル８００と同様に、全て同じユーザＩＤ「ａａａ」である。しかし、収納部管理テーブル８１０に含まれるジョブレコードのジョブＩＤは、収納部管理テーブル８００と異なり、全て異なる。これは、収納部管理テーブル８１０に登録される印刷ジョブは、全て同じユーザから印刷装置１００に送信されたが、異なるタイミングで印刷装置１００に送信されたことを示す。また、図１１に示す収納部管理テーブル８１０の状態のときは、収納部ＩＤ「２０１」、「２０２」及び「２０３」に対応する第１から第３副シート収納部２０１ａ２０１ｂ、２０１ｃの全てに印刷物が収納されていることを示す。
【００５７】
次に、図１２を参照して、バッファモードが指定された印刷ジョブに基づく印刷物をユーザが取り出す場合の動作を説明する。図１２は、印刷装置１００が印刷物を排出する処理のフローチャートである。図１２における図９と同符号の処理は、図９で説明した処理と同様である。図１２と図９とで異なる処理は、図１２のステップＳ９０７Ａ及びステップＳ９１３Ａである。以下では、この異なる処理を説明する。
【００５８】
ステップＳ９０７Ａにおいて、印刷装置１００は、ステップＳ９０３の検索で見つかりステップＳ９１６で削除されていないジョブレコードの収納部ＩＤが表す副シート収納部２０１に収納済みの印刷物を、押し出し部材２３３を用いて搬送する。そして、印刷装置１００は、この印刷物を排出口２３４から印刷装置１００外に露出させる。ステップＳ９０７Ａにおいては、他の副シート収納部２０１に、ステップＳ９０２で受け付けたユーザＩＤの印刷物は収納されていない。したがって、印刷装置１００は、ステップＳ９１３Ａの場合より、露出量が大きい状態になるように、印刷物を排出する。ユーザは露出部分を掴んで引き抜くことによって印刷物を受け取ることができる。
【００５９】
ステップＳ９１３Ａにおいて、印刷装置１００は、ステップＳ９０３の検索で見つかりステップＳ９１６で削除されていないジョブレコードのうち、収納部使用開始時刻が一番古いジョブレコードを取得する。印刷装置１００は、取得したジョブレコードの収納部ＩＤに対応する副シート収納部２０１から、印刷物を、押し出し部材２３３を用いて搬送し、排出口２３４から印刷装置１００外に露出させる。ステップＳ９１３Ａにおいては、他の副シート収納部２０１に、ステップＳ９０２で受け付けたユーザＩＤの印刷物が収納されている。したがって、印刷装置１００は、ステップＳ９０７Ａの場合より、露出量が小さい状態になるように、印刷物を排出する。ユーザは露出部分を掴んで引き抜くことによって印刷物を受け取ることができる。
【００６０】
次に、図１３を参照して、バッファモードが指定された印刷ジョブに基づく印刷物をユーザが取り出す場合の動作の具体例を説明する。図１３（ａ）〜（ｄ）は、図１１の収納部管理テーブル８１０、図１２のフローチャートに対応したシート収納部２０３及びユーザインターフェース部３０７の模式図である。
【００６１】
図１３（ａ）〜（ｄ）に示す印刷装置１００の状態と、図１０（ａ）〜（ｄ）で説明した第１実施形態の印刷装置１００の状態との相違点は、印刷物の露出量である。そこで、印刷物の露出量について説明する。
一つの副シート収納部２０１に収納されている印刷物が排出口２３４から露出しているときに、同じユーザの印刷物が他の副シート収納部２０１にも収納されているとする。このときの印刷物の露出量を第１露出量とする。また、一つの副シート収納部２０１に収納されている印刷物が排出口２３４から露出しているときに、同じユーザの印刷物が他の副シート収納部２０１には収納されていないとする。このときの印刷物の露出量を第２露出量とする。この場合、第２露出量は、第１露出量より大きい。
【００６２】
例えば図１３（ｂ）では、第１副シート収納部２０１ａに収納される第１印刷物２０２ａが排出口２３４から露出するとき、同じユーザの第２及び第３印刷物２０２ｂ、２０２ｃが第２及び第３副シート収納部２０１ｂ、２０１ｃに収納されている。このときの第１印刷物２０２ａの露出量が第１露出量である。
同様に図１３（ｃ）では、第２副シート収納部２０１ｂに収納される第２印刷物２０２ｂが排出口２３４から露出するとき、同じユーザの第３印刷物２０２ｃが第３副シート収納部２０１ｃに収納されている。このときの第２印刷物２０２ｂの露出量が第１露出量である。
また、図１３（ｄ）では、第３副シート収納部２０１ｃに収納される第３印刷物２０２ｃが排出口２３４から露出するとき、同じユーザの印刷物が他の副シート収納部２０１には収納されていない。このときの第３印刷物２０２ｃの露出量が第２露出量である。
そして、図１３（ｂ）〜（ｄ）に示すように、第２露出量は第１露出量より大きい。
【００６３】
以上の動作により、複数の副シート収納部２０１に収納済みの印刷物が存在したとしても、副シート収納部２０１の印刷物の排出口２３４への露出量によって、途中の印刷物か、最後の印刷物かをユーザに通知することができる。そのため、ユーザの印刷物の取り忘れを防止することができる。
【００６４】
＜他の実施形態＞
本発明は、上記の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
以上、本発明を実施形態と共に説明したが、上記実施形態は本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００６５】
１００  印刷装置
２０１  副シート収納部
２０３  シート収納部
【図１】
2017056638.tif 000003
【図２】
2017056638.tif 000004
【図３】
2017056638.tif 000005
【図４】
2017056638.tif 000006
【図５】
2017056638.tif 000007
【図６】
2017056638.tif 000008
【図７】
2017056638.tif 000009
【図８】
2017056638.tif 000010
【図９】
2017056638.tif 000011
【図１０】
2017056638.tif 000012
【図１１】
2017056638.tif 000013
【図１２】
2017056638.tif 000014
【図１３】
2017056638.tif 000015